(57)【要約】【課題】立体視画像表示装置において、複数の立体視画像を順次観察する際、簡単な装置構成および処理によって観察者の疲労を検出して疲労増加を抑制する。【解決手段】  入力部４２が、立体視画像Ｇの表示中に、次の立体視画像Ｇの表示を行う旨のユーザ指示を受け付けると、表示制御部４３３がユーザ指示に基づいて、次の立体視画像Ｇを表示する。表示時間判別部４３５が立体視画像Ｇ毎に表示時間を測定し、表示時間判別部４３５が。表示時間が所定時間以内であるか否かを判別する。警告部４３６が、表示時間が所定時間を越えた場合、画面表示および／または音声による警告を発する。【選択図】図３
2012253757.tif 000002
【特許請求の範囲】
【請求項１】
互いに異なる２つの撮影方向から被写体を放射線撮影して得られた２つの放射線画像データからなる立体視用画像データを複数記憶する画像データ記憶部と、
該画像データ記憶部から読み出した１つの立体視用画像データを用いて前記被写体の立体視画像を表示する表示部と、
前記立体視画像の表示中に、次の立体視画像の表示を行う旨のユーザ指示を受け付ける指示受付部と、
前記ユーザ指示に基づいて、前記表示部が前記次の立体視画像を表示するように、前記表示部を制御する表示制御部と、
前記立体視画像毎の各表示時間を測定する表示時間測定部と、
前記表示時間が所定時間内であるか否かを判別する表示時間判別部と、
前記表示時間が所定時間を越えた場合、画面表示および／または音声による警告を発する警告部とを備えていることを特徴とする立体視画像表示装置。
【請求項２】
前記立体視用画像データが前記被写体の撮影部位情報を付帯するものであり、
前記表示時間判別部が、前記撮影部位情報に基づいて、前記所定時間を設定するものであることを特徴とする請求項１に記載の立体視画像表示装置。
【請求項３】
前記指示受付部が、前記表示時間が前記所定時間を越えた場合、以後に受け付けるユーザ指示を無効にするものであることを特徴とする請求項１または２に記載の立体視画像表示装置。
【請求項４】
前記表示制御部が、前記表示時間が前記所定時間を越えた場合、前記表示中の立体視画像を非表示とするように、前記表示部を制御するものであることを特徴とする請求項１〜３のいずれか１項に記載の立体視画像表示装置。
【請求項５】
前記指示受付部が、前記表示時間の測定の停止および再開の指示を受け付けるものであり、
前記測定の停止の指示を受け付けた場合、前記表示時間測定部が、前記測定の再開の指示を受け付けるまで前記表示時間の測定を停止するものであることを特徴とする請求項１〜４のいずれか１項に記載の立体視画像表示装置。
【請求項６】
互いに異なる２つの撮影方向から被写体を放射線撮影して得られた２つの放射線画像データからなる立体視用画像データを複数記憶する画像データ記憶部と、該画像データ記憶部から読み出した１つの立体視用画像データを用いて前記被写体の立体視画像を表示する表示部とを備えた立体視画像表示装置の動作方法であって、
前記立体視画像の表示中に、次の立体視画像の表示を行う旨のユーザ指示を受け付け、
該ユーザ指示に基づいて、前記次の立体視画像を表示し、
前記立体視画像毎に表示時間を測定し、
該表示時間が所定時間以内であるか否かを判別し、
前記表示時間が前記所定時間を越えた場合、画面表示および／または音声による警告を発することを特徴とする立体視画像表示装置の動作方法。
【発明の詳細な説明】
【技術分野】
【０００１】
本発明は立体視画像表示装置およびその動作方法に関する。より詳しくは、異なる２つの撮影方向から被写体を放射線撮影して得られた２つの放射線画像データを用いて被写体の立体視画像を表示する立体視画像表示装置およびその動作方法に関する。
【背景技術】
【０００２】
従来、視差を有する２つの画像を組み合わせて表示することにより、立体視できることが知られている。このような立体視できる画像（以下、立体視画像という）は、同一の被写体を互いに異なる２つの撮影方向から撮影して得られた視差のある２つの画像データに基づいて表示される。このような立体視画像の生成は、デジタルカメラやテレビ等の分野だけでなく、放射線撮影の分野においても利用されている。
【０００３】
すなわち被写体に対して互いに異なる２つの撮影方向から放射線を照射し、その被写体を透過した放射線を放射線検出器によりそれぞれ検出して視差のある２つの放射線画像データからなる立体視画像データを取得して立体視画像を表示することが行われている。このような立体視画像を用いることにより、奥行き感のある放射線画像を観察することが可能となり、診断をより行いやすくできる。
【０００４】
ところで、このような立体視画像の立体視は、互いに視差を有する２つの画像を脳内で合成して立体視画像として認識することにより行われる。したがって、観察者は、両眼で異なった視覚像を知覚する現象（両眼の視野闘争）を抑えながら立体視画像の立体視を行うため、疲労を感じやすい傾向がある。特に、観察者が複数の立体視画像を順次観察する際には、立体視画像が表示される度に脳内で新たな合成を行う必要があり、疲労しやすくなる。
【０００５】
特許文献１には、観察者の瞬眼、瞳孔径等の観察者情報を計測することで観察者の疲労を検出し、視差量や表示サイズを調整する立体視画像表示装置が提案されている。また、特許文献２には、各立体視画像の立体感の強度を示す立体強度と表示時間とに基づいて、累積強度を算出し、累積強度が所定の閾値を越える場合に警告を表示する立体視画像表示装置が提案されている。
【先行技術文献】
【特許文献】
【０００６】
【特許文献１】特開２００４−２８９５２７号公報
【特許文献２】特開２００４−２０７７７３号公報
【発明の概要】
【発明が解決しようとする課題】
【０００７】
しかしながら、特許文献１に提案される技術では、観察者の疲労を検出するために観察者の身体情報を取得する必要があり、装置構成が複雑になる虞がある。また、特許文献２に提案されている技術では、立体視画像毎に立体強度を算出する処理が必要となる。
【０００８】
ところで、一般的に、観察者が複数の立体視画像を順次観察し続けて疲労が増加してくると、立体視画像を観察している時間が、以前の立体視画像を観察している時間よりも極端に長くなるという傾向がある。
【０００９】
本発明の目的は、上記事情に鑑み、複数の立体視画像を順次観察する際、簡単な装置構成および処理によって観察者の疲労を検出して疲労増加を抑制できる立体視画像表示装置およびその動作方法を提供する。
【課題を解決するための手段】
【００１０】
上記の課題を解決するために、本発明の立体視画像表示装置は、互いに異なる２つの撮影方向から被写体を放射線撮影して得られた２つの放射線画像データからなる立体視用画像データを複数記憶する画像データ記憶部と、画像データ記憶部から読み出した１つの立体視用画像データを用いて被写体の立体視画像を表示する表示部と、立体視画像の表示中に、次の立体視画像の表示を行う旨のユーザ指示を受け付ける指示受付部と、ユーザ指示に基づいて、表示部が次の立体視画像を表示するように、表示部を制御する表示制御部と、立体視画像毎の各表示時間を測定する表示時間測定部と、表示時間が所定時間内であるか否かを判別する表示時間判別部と、表示時間が所定時間を越えた場合、画面表示および／または音声による警告を発する警告部とを備えていることを特徴とする。
【００１１】
本発明の立体視画像表示装置の動作方法は、互いに異なる２つの撮影方向から被写体を放射線撮影して得られた２つの放射線画像データからなる立体視用画像データを複数記憶する画像データ記憶部と、画像データ記憶部から読み出した１つの立体視用画像データを用いて被写体の立体視画像を表示する表示部とを備えた立体視画像表示装置の動作方法であって、立体視画像の表示中に、次の立体視画像の表示を行う旨のユーザ指示を受け付け、ユーザ指示に基づいて、次の立体視画像を表示し、立体視画像毎に表示時間を測定し、表示時間が所定時間以内であるか否かを判別し、表示時間が前記所定時間を越えた場合、画面表示および／または音声による警告を発することを特徴とする。
【００１２】
ここで、本発明の立体視画像表示装置およびその動作方法における「被写体」とは、同一の被写体に限定される意味ではなく、異なる被写体を含む意味である。
【００１３】
また、本発明の立体視画像表示装置は、立体視用画像データが被写体の撮影部位情報を付帯するものであり、表示時間判別部が、撮影部位情報に基づいて、所定時間を設定するものであってもよい。ここで、「撮影部位情報」とは、被写体の撮影する部位を示す情報の意味であり、たとえば、頭部、頸部、胸部、腹部、脚部、胃、肺または乳房等である。
【００１４】
また、本発明の立体視画像表示装置は、指示受付部が、表示時間が所定時間を越えた場合、以後に受け付けるユーザ指示を無効にするものであってもよい。また、本発明の立体画像表示装置は、表示制御部が、表示時間が前記所定時間を越えた場合、表示中の立体視画像を非表示とするように、表示部を制御するものであってもよい。
【００１５】
また、本発明の立体視画像表示装置は、指示受付部が、表示時間の測定の停止および再開の指示を受け付けるものであり、測定の停止の指示を受け付けた場合、表示時間測定部が、測定の再開の指示を受け付けるまで表示時間の測定を停止するものであってもよい。
【発明の効果】
【００１６】
本発明の立体視画像表示装置およびその動作方法によれば、互いに異なる２つの撮影方向から被写体を放射線撮影して得られた２つの放射線画像データからなる立体視用画像データを複数記憶する画像データ記憶部と、画像データ記憶部から読み出した１つの立体視用画像データを用いて被写体の立体視画像を表示する表示部とを備え、指示受付部が、立体視画像の表示中に、次の立体視画像の表示を行う旨のユーザ指示を受け付け、表示制御部がユーザ指示に基づいて次の立体視画像を表示し、表示時間測定部が立体視画像毎の表示時間を測定し、表示時間判別部が、表示時間が所定時間以内であるか否かを判別し、警告部が、表示時間が所定時間を越えた場合、画面表示および音声、あるいは画面表示と音声のいずれかによる警告を発することにより、立体視画像毎に表示時間を測定して所定時間以内であるかを判別するという簡単な装置構成および処理で観察者の疲労を検出して疲労増加を抑制できる。
【００１７】
また、本発明の立体視画像表示装置によれば、立体視用画像データが被写体の撮影部位情報を付帯するものであり、表示時間判別部が、撮影部位情報に基づいて、所定時間を設定することより、観察する撮影部位によって立体視のし易さが異なることを考慮しつつ、観察者の疲労を検出して疲労増加を抑制できる。
【００１８】
また、本発明の立体視画像表示装置によれば、指示受付部が、表示時間が所定時間を越えた場合、以後に受け付けるユーザ指示を無効にすることにより、表示時間が所定時間を越えた後の次の立体視画像の観察を回避しつつ、観察者の疲労を検出して疲労増加を抑制できる。
【００１９】
また、本発明の立体視画像表示装置によれば、表示制御部が、表示時間が所定時間を越えた場合、表示中の立体視画像を非表示とするように、表示部を制御することにより、表示時間が所定時間を越えた後の表示中の立体視画像の観察を回避しつつ、観察者の疲労を検出して疲労増加を抑制できる。
【００２０】
また、本発明の立体視画像表示装置によれば、指示受付部が、表示時間の測定の停止および再開の指示を受け付けるものであり、測定の停止の指示を受け付けた場合、表示時間測定部が、測定の再開の指示を受け付けるまで表示時間の測定を停止することにより、必要な場合に表示時間の延長を可能にしたり、観察を中断している時間を含まずに、観察者の疲労を検出して疲労増加を抑制できる。
【図面の簡単な説明】
【００２１】
【図１】放射線画像撮影表示システムの概略構成図
【図２】放射線画像撮影表示システムの一部側面図
【図３】立体視画像表示装置の概略構成図
【図４】立体視画像表示装置の連続表示に関する一連の処理を示すフローチャート
【発明を実施するための形態】
【００２２】
以下、図面を参照して本発明の立体視画像表示装置の一実施形態を用いた放射線画像撮影表示システムについて説明する。図１は、放射線画像撮影表示システム１の概略構成を示す図である。放射線画像撮影表示システム１は、被写体Ｐを互いに異なる２つの撮影方向から放射線撮影して２つの放射線画像からなる立体視画像Ｇを取得し、この立体視画像Ｇを表示するものである。放射線画像撮影表示システム１は、図１に示すように、被写体Ｐの放射線撮影を行う放射線画像撮影装置１０、被写体Ｐを支持するための支持台であるベッド３０および被写体Ｐの立体視画像Ｇを表示する立体視画像表示装置４０から構成されている。
【００２３】
最初に放射線画像撮影装置１０について説明する。放射線画像撮影装置１０は、被写体Ｐに互いに異なる２つの撮影方向から放射線を照射することでステレオ撮影を行い、被写体Ｐの立体視用画像データＤを取得し、この立体視用画像データＤを格納した画像ファイルＦを立体視画像表示装置４０に送信するものである。
【００２４】
放射線画像撮影装置１０は、円錐状の放射線を照射する放射線照射部１１、放射線照射部１１から照射された放射線を検出する放射線検出部１２、放射線照射部１１および放射線検出部１２がその端部にそれぞれ対向して設けられ、これらを保持するＣアーム１３、Ｃアーム１３を回転させる回転駆動部１４および回転駆動部１４を保持するアーム１５を備えている。
【００２５】
Ｃアーム１３は、回転駆動部１４に対して、回転軸Ｃの周りに３６０°回転可能に取り付けられている。また、アーム１５は可動部１６を備えるとともに、天井に対して移動可能に設置された基台１７に保持されている。そして、Ｃアーム１３は、基台１７を移動させることによって撮影室内において広範の位置に移動可能であるとともに、アーム１５の可動部１６を可動させることによって回転軸Ｃの軸方向を変更できるように構成されている。Ｃアーム１３の回転およびアーム１５の移動は、基台１７に組み込まれたアームコントローラ１８により制御される。
【００２６】
放射線検出部１２の内部には、フラットパネルディテクタ等の放射線検出器１９および放射線検出器１９からの電荷信号の読み出しを制御する検出器コントローラ２０が備えられている。また、放射線検出部１２の内部には、放射線検出器１９から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等も設けられた回路基板等も備えられている。
【００２７】
放射線検出器１９は、電荷信号の記録と読出しを繰り返して行うことができるものであり、放射線の照射を直接受けて電荷を発生する、いわゆる直接型の放射線画像検出器を用いてもよいし、放射線を一旦可視光に変換し、その可視光を電荷信号に変換する、いわゆる間接型の放射線画像検出器を用いるようにしてもよい。
【００２８】
また、放射線画像信号の読出方式としては、ＴＦＴ（thin film transistor）スイッチをオン・オフすることによって放射線画像信号が読み出される、いわゆるＴＦＴ読出方式のものや、読取光を照射することによって放射線画像信号が読み出される、いわゆる光読出方式のものを用いることが望ましいが、これに限らずその他のものを用いるようにしてもよい。
【００２９】
放射線照射部１１の内部には放射線源２１と、放射線源コントローラ２２とが備えられている。放射線源コントローラ２２は、放射線源２１から放射線を照射するタイミングと、放射線源２１における放射線発生条件（管電流（ｍＡ）、照射時間（ｍｓ）、管電圧（ｋＶ）等）とを制御するものである。
【００３０】
コンピュータ２３は、中央処理装置（ＣＰＵ）および半導体メモリやハードディスクやＳＳＤ等のストレージデバイス、入力部２４を備えている。コンピュータ２３は、各種のコントローラ１８，２０，２２に対して所定の制御信号を出力し、放射線画像撮影装置１０の全体の制御を行うものである。そして、コンピュータ２３は、ステレオ撮影によって放射線検出器１９で検出された電荷信号に所定の信号処理を施した立体視用画像データＤを画像ファイルＦに格納して立体視画像表示装置４０に送信するものである。
【００３１】
入力部２４は、たとえば、キーボードやマウス等のポインティングデバイスから構成されるものであり、頭部、頸部、胸部、腹部、脚部、胃、肺または乳房等の撮影部位や、ステレオ撮影における撮影角度θを含む撮影条件の入力や撮影開始等の指示を受け付けるものである。
【００３２】
図２は放射線画像撮影表示システム１の一部側面図である。なお、図２においては理解を容易にするため、放射線照射部１１、放射線検出部１２、ベッド３０および被写体Ｐのみを表示してその他の表示は省略している。
【００３３】
放射線画像撮影装置１０の作用について図１および図２を用いて説明する。まず、図１に示すように、被写体Ｐをベッド３０上に横たわらせる。コンピュータ２３が、Ｃアーム１３の回転軸Ｃが被写体Ｐの体の略中心と一致し、この回転軸Ｃを挟んで放射線源２１と放射線検出部１２とが対称位置に配されるように、アームコントローラ１８に初期位置合わせを行う制御信号を出力する。
【００３４】
Ｃアーム１３の初期位置合わせが行われると、次に、撮影者によって撮影部位情報が入力部２４から入力される。コンピュータ２３には、種々の撮影部位と放射線発生条件とを対応づけた放射線発生条件テーブルを予め有している。この放射線発生条件テーブルには、前述の通り、放射線発生条件としての管電流（ｍＡ）、照射時間（ｍｓ）、管電圧（ｋＶ）が撮影部位毎に設定されている。
【００３５】
入力部２４から撮影部位情報が入力されると、コンピュータ２３は、放射線発生条件テーブルを参照して放射線発生条件が取得するとともに、放射線源コントローラ２２に出力する。
【００３６】
次に、コンピュータ２３は、ステレオ撮影における互いに異なる２つの撮影角度θの組み合わせを読み出し、一方の撮影角度θの情報をアームコントローラ１８に出力する。また、撮影角度θは、Ｃアーム１３がベッド３０の表面３１に垂直な方向に対してなす角度であり、放射線照射部１１が上方、放射線検出部１２が下方に位置する状態であってＣアーム１３が表面３１に対して垂直となる状態が０°である。本実施形態において、撮影角度θは、図２示すように時計回りを正方向、反時計回りを負方向とする。また、本実施形態においては、撮影角度θ＝０°および＋４°の組み合わせが入力されたものとするが、特に限定されるものではなく、２つの撮影方向のなす角度が視差に対応するように２°〜８°程度の範囲となるように、撮影角度θの組み合わせを設定すればよい。
【００３７】
そして、入力部２４から撮影開始指示が入力されると、アームコントローラ１８が、コンピュータ２３から出力された撮影部位および撮影角度θ＝０°の情報に基づいて、表面３１に対して垂直であり、所定の撮影位置まで移動するように、Ｃアーム１３を回転および／または移動させる制御信号を出力する。
【００３８】
Ｃアーム１３が、アームコントローラ１８からの指示に基づいて、表面３１に対して垂直である撮影角度θ＝０°となる所定位置に移動すると、コンピュータ２３は、放射線源コントローラ２２および検出器コントローラ２０に対して放射線の照射と立体視画像Ｇを構成する右眼用画像ＧＲの放射線画像データＤＲの読み出しを行うように制御信号を出力する。
【００３９】
この制御信号に応じて、放射線源２１が放射線を照射し、放射線検出器１９が照射された放射線を検出し、検出器コントローラ２０によって放射線検出器１９から電荷信号が読み出される。コンピュータ２３が、この電荷信号に所定の信号処理を施して右眼用画像ＧＲの放射線画像データＤＲを記憶する。
【００４０】
次に、アームコントローラ１８が、コンピュータ２３から出力された撮影角度θ＝＋４°の情報に基づき、Ｃアーム１３が、図２に示すように、表面３１に垂直な方向に対して＋４°傾くような制御信号を出力する。
【００４１】
そして、Ｃアーム１３が表面３１に対して＋４°傾くと、コンピュータ２３は、放射線源コントローラ２２および検出器コントローラ２０に対して放射線の照射と立体視画像Ｇを構成する左眼用画像ＧＬの放射線画像データＤＬの読み出しを行うように制御信号を出力する。なお、本実施形態では、撮影角度θ＝０°で右眼用画像ＧＲの放射線画像データＤＲ、撮影角度θ＝＋４°で左眼用画像ＧＬの放射線画像データＤＬをそれぞれ読み出し、記憶をするものであるが、特に限定されるものではない。すなわち撮影角度θ＝０°で左眼用画像ＧＬの放射線画像データＤＬ、撮影角度θ＝＋４°で右眼用画像ＧＲの放射線画像データＤＲをそれぞれ読み出し、記憶してもよい。
【００４２】
この制御信号に応じて、放射線源２１が放射線を照射し、放射線検出器１９が照射された放射線を検出し、検出器コントローラ２０によって放射線検出器１９から電荷信号が読み出される。コンピュータ２３は、この電気信号に所定の信号処理を施して左眼用画像ＧＬの放射線画像データＤＬを記憶する。コンピュータ２３は、被写体Ｐの右眼用画像ＧＲおよび左眼用画像ＧＬからなる立体視画像Ｇの立体視用画像データＤである放射線画像データＤＬ，ＤＲを画像ファイルＦに格納して立体視画像表示装置４０に送信する。また、コンピュータ２３は、画像ファイルＦのヘッダ領域に撮影部位情報を記述して画像ファイルＦに撮影部位情報を付帯させて立体視画像表示装置４０に送信することが可能である。
【００４３】
次に立体視画像表示装置４０について説明する。図３は立体視画像表示装置の概略構成図である。立体視画像表示装置４０は、図３に示すように、表示部としてのモニタ４１、指示受付部としての入力部４２およびコンピュータ４３から構成されている。立体視画像表示装置４０は、モニタ４１に右眼用画像ＧＲ、左眼用画像ＧＬをそれぞれ表示することで立体視画像Ｇを表示するものである。
【００４４】
モニタ４１は、上下方向に隣接した２つのモニタ画面４１ａ，４１ｂ、モニタ画面４１ａ，４１ｂの間に設けられたハーフミラー４４およびモニタ画面４１ａ，４１ｂのなす角度αを可変にするヒンジ機構４５を備えている。
【００４５】
モニタ画面４１ａ，４１ｂは、放射線画像データＤＲ，ＤＬに基づいて右眼用画像ＧＲおよび左眼用画像ＧＬを互いに直交する偏光によって表示するものである。ヒンジ機構４５は、モニタ画面４１ａをモニタ画面４１ｂに対して図３の矢印方向に回転させることにより、２つのモニタ画面４１ａ、４１ｂのなす角度αを調整する。ハーフミラー４４は、モニタ画面４１ａをモニタ画面４１ｂに対して傾けることにより、モニタ画面４１ａの表示光を図中実線で示すように反射させるとともに、モニタ画面４１ｂの表示光を図中破線で示すように透過させるものである。
【００４６】
ハーフミラー４４が、右眼用画像ＧＲと左眼用画像ＧＬとをハーフミラー４４上で所定の視差を有するように重ね合わせて光学的に結合させる。そして、観察者が右眼用画像ＧＲを観察する右眼用偏光レンズと左眼用画像ＧＬを観察する左眼用偏光レンズを有する偏光メガネを装着することにより、観察者は、左眼用画像ＧＬおよび右眼用画像ＧＲを左右各眼でそれぞれ観察して立体視画像Ｇを立体視する。なお、本実施形態では、モニタ画面４１ａが右眼用画像ＧＲ、モニタ画面４１ｂが左眼用画像ＧＬを表示するものであるが、特に限定されるものではない。
【００４７】
入力部４２は、キーボード、マウス等のポインティングデバイスから構成されるものであり、観察者からの表示に関する指示、たとえば、表示する立体視用画像データＤの選択、表示開始、表示終了等の指示を受け付けるものである。
【００４８】
コンピュータ４３には、本実施形態による立体視画像表示装置として機能させるためのプログラムがインストールされている。コンピュータ４３は、中央処理装置（ＣＰＵ）および半導体メモリやハードディスクやＳＳＤ等のストレージデバイス等を備えており、これらのハードウェアにより、制御部４３１、画像データ記憶部４３２、表示制御部４３３、表示時間判別部４３５および警告部４３６を構成している。
【００４９】
制御部４３１は、放射線画像撮影装置１０から画像ファイルＦを受信するとともに、コンピュータ４３の全体を制御するものである。画像データ記憶部４３２は、受信した画像ファイルＦに格納された放射線画像データＤＬ，ＤＲからなる立体視用画像データＤを複数記憶するものである。
【００５０】
表示制御部４３３は、モニタ４１の表示を制御するものである。表示制御部４３３は、観察者が入力部４２によって選択した立体視用画像データＤの１つを画像データ記憶部４３２から読み出し、左眼用画像ＧＬおよび右眼用画像ＧＲが鏡像関係を有するようにモニタ画面４１ａ，４１ｂにそれぞれ表示させる。なお、表示制御部４３３は必要に応じてモニタ画面４１ａ，４１ｂに撮影条件や、診断レポート等を表示させる。
【００５１】
また、表示制御部４３３は、観察者が入力部４２によって選択した複数の立体視用画像データＤを用いて立体視画像Ｇを順次表示することができる。この場合、表示制御部４３３は、最初の立体視画像Ｇを表示させ、入力部４２が次の立体視画像Ｇを表示させる旨の指示を受け付けると、最初の立体視画像Ｇを非表示にして次の立体視用画像データＤを読み出してモニタ４１に表示させ、以後、この処理を、選択された複数の立体視用画像データＤを全て用いて各立体視画像Ｇの表示が完了するまで繰り返す（以下、連続表示という）ことが可能である。
【００５２】
表示時間判別部４３５は、各立体視画像Ｇの表示時間を測定するものである。ここで、表示時間は、立体視画像Ｇの表示開始から表示終了までの時間である。表示時間判別部４３５は各立体視画像Ｇの表示時間が予め設定された所定時間以内であるかを判別するものである。たとえば、表示時間判別部４３５は、表示中の立体視画像Ｇの表示時間が５分〜１５分以内であるか否かで判別するものであってもよい。上記の所定時間は、デフォルトで設定されていてもよく、観察者が入力部４２によって設定するものであってもよい。
【００５３】
また、観察を中断している時間を含むことを回避したり、必要に応じて観察時間を延長するために、表示時間測定部４３４は、入力部４２が測定の中止の指示を受け付けると、表示時間の測定を中止し、入力部４２が表示の再開の指示を受け付けると、表示時間の測定を再開することができる。表示時間測定部４３４は、入力部４２からの観察者の設定に基づいて、測定を中止した時の表示時間から測定を再開することもでき、表示時間をリセットして測定を再開することもできる。
【００５４】
立体視画像Ｇの撮影部位によって立体視のし易さが異なることを考慮するため、表示時間判別部４３５は、撮影部位毎に所定時間を設定するものであってもよい。具体的に、表示時間判別部４３５は、撮影部位毎に所定時間が記載された参照テーブルを有しており、画像ファイルＦに付帯された撮影部位情報に基づいて、参照テーブルを参照して表示する立体視用画像の撮影部位に応じて所定時間を設定する。たとえば、表示時間判別部４３５は、頸部、脚部等に比較して厚みが大きいため奥行き感が大きく疲労が蓄積しやすい頭部、胸部および腹部の所定時間を５〜１０分程度、頸部および脚部の所定時間１０〜１５分程度に設定するものであってもよい。
【００５５】
警告部４３６は、表示時間が所定時間を越えた場合、画面表示および音声、あるいは画面表示と音声のいずれかによる警告を発するものである。警告部４３６は、警告を所定時間発するものでもよく、入力部４２が警告を解除する旨の指示を受け付けた場合に警告を解除するものであってもよい。
【００５６】
また、表示時間が所定時間を越えた後の表示中の立体視画像Ｇの観察を回避するために、表示制御部４３３は、連続表示中に表示時間が所定時間を越えた場合に、立体視画像Ｇを非表示にするようにモニタ４１を制御してもよい。表示制御部４３３は、入力部４２が警告を解除する旨の指示を受け付けた場合に立体視画像Ｇの非表示の状態を解除する。
【００５７】
また、表示時間が所定時間を越えた後の次の立体視画像Ｇの観察を回避するために、入力部４２は、連続表示中に表示時間が所定時間を越えた場合に、以後の観察者による指示の受け付けを無効にしてもよい。入力部４２は、次の立体視画像Ｇを表示する旨の指示の受け付けのみを無効にするものでもよく、全ての指示の受け付けを無効にするものであってもよい。次の立体視画像Ｇを表示する旨の指示のみを無効にした場合は、入力部４２は、警告を解除する旨の指示を受け付けることで無効状態を解除する。また、全ての指示の受け付けを無効にした場合はコンピュータ４３の主電源を遮断することで無効状態を解除する。
【００５８】
立体視画像表示装置４０の作用について説明する。まず、立体視画像表示装置４０による立体視画像Ｇの連続表示に関する一連の処理について図４を用いて説明する。図４は立体視画像表示装置４０の連続表示に関する一連の処理を示すフローチャートである。制御部４３１が放射線画像撮影装置１０から複数の画像ファイルＦを受信し、画像データ記憶部４３２が立体視用画像データＤを複数記憶する（ＳＴ１）。
【００５９】
入力部４２が複数の立体視用画像データＤの選択を受け付ける（ＳＴ２）。そして、入力部４２が表示開始の指示を受け付けると、表示制御部４３３が画像データ記憶部４３２から１つの立体視用画像データＤを読み出し、左眼用画像ＧＬおよび右眼用画像ＧＲをそれぞれ表示させ、ハーフミラー４４によって光学的に結合させて立体視画像Ｇを表示する（ＳＴ３）。
【００６０】
表示時間判別部４３５が立体視画像Ｇの表示時間の測定を開始する（ＳＴ４）。表示中に入力部４２が測定の中止の指示を受け付けると（ＳＴ５）、表示時間判別部４３５は表示時間の測定を中止する（ＳＴ６）。入力部４２が測定の再開の指示を受け付けると（ＳＴ７）、再び表示時間の測定を開始する（ＳＴ４）。
【００６１】
表示時間判別部４３５が、測定時間が所定時間以内であるかを判別し（ＳＴ８）、測定時間が表示時間を越える場合は、警告部４３６が画面表示および音声、あるいは画面表示と音声のいずれかによる警告を発する（ＳＴ９）。入力部４２が次の立体視画像Ｇを表示する旨の指示を受け付けると（ＳＴ１０）、表示制御部４３３が表示中の立体視画像Ｇの表示を終了するとともに、表示時間判別部４３５が表示時間の測定を終了する（ＳＴ１１、ＳＴ１２）。
【００６２】
そして、表示制御部４３３が次の立体視用画像データＤがあるか否かを確認し（ＳＴ１３）、次の立体視用画像データＤがある場合は次の立体視画像Ｇをモニタ４１に表示させる（ＳＴ３）。再び一連の処理（ＳＴ４〜１３）が繰り返される。次の立体視用画像データＤがない場合は処理が終了する。
【００６３】
上記の実施形態によれば、画像データ記憶部４３２が複数の立体視用画像データＤを記憶し、表示制御部４３３が複数の立体視用画像データＤより１つの立体視用画像データＤを読み出してモニタ４１に表示させる。そして、入力部４２が次の立体視画像Ｇの表示を行う旨を受け付けることで、表示制御部４３３が立体視画像Ｇを順次表示させるとともに、時間測定部４３４が立体視画像Ｇ毎に表示時間を測定する。そして、表示時間判別部４３５が、観察者に立体画像Ｇの観察による疲労が発生していないかを検出するため、各表示時間が所定時間以内であるか否かを判別する。そして、表示時間が所定時間を越えた場合に、疲労している観察者が立体視画像Ｇを観察し続けることによって疲労がより増加することを抑制するため、画面表示および音声、あるいは画面表示と音声のいずれかによる警告を発する。したがって、上記の実施形態は、立体視画像Ｇ毎に表示時間をそれぞれ測定し、各表示時間が所定時間以内であるか否かを判別して表示時間が所定時間を越えた場合に警告を発するという簡単な装置構成および処理で、観察者の疲労増加を抑制できる。
【００６４】
また、上記の実施形態によれば、立体視用画像データＤが被写体Ｐの撮影部位情報を付帯するものであり、表示時間判別部４３５が、付帯された撮影部位情報に基づいて、所定時間を設定できる。したがって、観察者が立体視し易い部位の立体視画像Ｇを観察しているのか、立体視し辛い部位の立体視画像Ｇを観察しているかを考慮して観察者の疲労を検出して疲労増加を抑制できる。
【００６５】
また、上記の実施形態によれば、入力部４２が、表示時間が所定時間を越えた場合、以後に受け付けるユーザ指示を無効にすることにより、表示時間が所定時間を越えた後に観察者が次の立体視画像Ｇを観察することを回避できるため、観察者の疲労増加をより抑制できる。
【００６６】
また、上記の実施形態によれば、表示制御部４３３が、表示時間が所定時間を越えた場合、表示中の立体視画像を非表示とするように、モニタ４１を制御するため、表示時間が所定時間を越えた後に観察者が表示中の立体視画像Ｇの観察することを回避できるため、観察者の疲労増加をより抑制できる。
【００６７】
また、上記の実施形態によれば、入力部４２が、表示時間の測定の停止および再開の指示を受け付けるものであり、測定の停止の指示を受け付けた場合、表示時間判別部４３５が、測定の再開の指示を受け付けるまで表示時間の測定を停止するため、たとえば、より注意深く観察すために表示時間を延長したい場合や、所用により観察を中断した場合にも、観察者の疲労を検出して疲労増加を抑制できる。
【００６８】
なお、立体視画像表示装置４０による立体視画像Ｇの表示構成は、上記の構成に限定されるものではなく、パララックスバリア方式およびレンチキュラー方式を用いて、立体視画像Ｇを立体表示する構成としてもよく、右眼用画像ＧＲおよび左眼用画像ＧＬを所定の周期で交互に切り替えて表示し、観察者が、右眼用部分および左眼用部分のそれぞれに所定の周期に同期して開閉する液晶シャッタ等を有する立体視眼鏡を装着して立体視する構成であってもよい。
【符号の説明】
【００６９】
Ｄ          立体視用画像データ
ＤＬ，ＤＲ  放射線画像データ
Ｆ          画像ファイル
Ｇ          立体視画像
Ｐ          被写体
４０        立体視画像表示装置
４１        モニタ（表示部）
４２        入力部（指示受付部）
４３２      画像データ記憶部
４３３      表示制御部
４３４      表示時間測定部
４３５      表示時間判別部
４３６      警告部
【図１】
2012253757.tif 000003
【図２】
2012253757.tif 000004
【図３】
2012253757.tif 000005
【図４】
2012253757.tif 000006